(57)【要約】【課題】    通風や視界を遮りたいような状況、視界を遮りつつ通風を確保したい状況、及び通風を確保するとともに透視も可能にしたい状況に対して、それらいずれの状況にも対応できるような通風機能を有する建具・壁を提供する。【解決手段】  通風及び透視機能を備えた開口部(２)と、この開口部(２)を開閉する遮蔽具(10)(11)…とを設け、この遮蔽具(10)(11)…を、前記通風及び透視のいずれをも不能とする完全遮蔽モードと、少なくとも前記開口部(２)の面に正対した状態で前記の透視を不能とするが通風は可能とする半遮蔽モードと、少なくとも開口部(２)の面に対して略直角な方向に透視可能で且つ通風可能な完全開放モードとの間で切替え可能とする。【選択図】  図２
2005299296.tif 000002
【特許請求の範囲】
【請求項１】
通風及び透視機能を備えた開口部と、この開口部を開閉する遮蔽具とを備え、この遮蔽具は、前記通風及び透視のいずれをも不能とする完全遮蔽モードと、少なくとも前記開口部の面に正対した状態で前記の透視を不能とするが通風は可能とする半遮蔽モードと、少なくとも開口部の面に対して略直角な方向に透視可能で且つ通風可能な完全開放モードとの間で切替え可能とされていることを特徴とする通風機能を有する建具・壁。
【請求項２】
前記半遮蔽モードでは、前記開口部の面に対するいずれの角度から見ても前記の透視が不能となっている請求項１記載の通風機能を有する建具・壁。
【請求項３】
前記遮蔽具は、開口部を区画する桟材又は開口部を囲む枠材に出没可能に埋設され、それら桟材又は枠材に対して出没することによって前記の各モードに切り替えられる請求項１又は２記載の通風機能を有する建具・壁。
【請求項４】
前記開口部は、縦方向又は横方向の複数の桟材によって区画された格子状に形成されている請求項１乃至３のいずれかに記載の通風機能を有する建具・壁。
【請求項５】
遮蔽具は、前記桟材により区画された開口部の各区画空間毎に一対ずつ設けられ、それら一対の遮蔽具は、開口部の面に対する略直角方向において互いに間隔を空けて配置されている請求項４記載の通風機能を有する建具・壁。
【請求項６】
前記一対の遮蔽具のうち正面側に配置された遮蔽具が、前記区画空間を挟んだ一方の側の桟材又は枠材に設けられ、背面側に配置された遮蔽具が、その区画空間を挟んだ他方の側の桟材又は枠材に設けられている請求項５記載の通風機能を有する建具・壁。
【請求項７】
前記半遮蔽モードにおいて、前記一対の遮蔽具の出没方向における先端部の位置が部分的に重なっている請求項６記載の通風機能を有する建具・壁。
【請求項８】
遮蔽具は、前記の桟材又は枠材の表面に対して凹入した位置に設けられている請求項１乃至７のいずれかに記載の通風機能を有する建具・壁。
【請求項９】
遮蔽具を操作するための操作具が正面に設けられている請求項１乃至８のいずれかに記載の通風機能を有する建具・壁。
【発明の詳細な説明】
【技術分野】
【０００１】
この発明は、室内で自然の風を感じるための通風機能を有する建具・壁に関し、特に室内に設けられる内装建具及び間仕切り壁に関する。
【背景技術】
【０００２】
自然の風は、人が快適性を感じる要素の一つであるため、居室内においても十分に自然の風を感じたいと考える人は決して少なくない。ところが、一般的な戸建て住宅において、リビング・ダイニング等の比較的広い居室については、異なる二方向の外壁に開口部がある場合が多く、そのような居室で十分な通風を確保するのは比較的容易であるが、子供部屋等の狭い居室については、一方向の壁にしか開口部が設けられていない場合が多く、そのような居室では、自然対流による微量の通風はあるものの、快適な自然の風を感じるのは困難である。
【０００３】
そこで、実際の生活において、春や秋に心地よい自然の風を感じたい場合や、夏に自然の風で涼みたい場合は、寝室やリビング等の内装建具を開放することで、室内廊下等を介した住宅内の通風経路を確保することが一般的に行われている。しかし、来客時など内装建具を開放できない場合は、図７に示すように、一部の居室(51)(52)(53)を除いて、自然の風が感じられるような通風経路を確保することができなかった。
【０００４】
これに対して、特許文献１及び特許文献２には、建具を閉めた状態でも通風が可能となるような建具の構造が開示されている。
【０００５】
特許文献１の建具は、正面側に換気用の穴が多数設けられ、それら多数の換気用の穴を塞ぐ開閉扉が裏面側に設けられている。すなわち、その開閉扉を開けることにより、建具を閉めた状態でも換気用の穴より通風が得られるようになっており、また、この建具越しに、建具の反対側で過ごす人やペット等の気配を感じたり様子を見ることが可能となる。
【０００６】
他方、特許文献２に記載された構成では、開口部を備えた建具の内部に、ガラス板からなる採光部と防虫網からなる通風部とで構成されたスライド部材が嵌め込まれている。この建具は、スライド部材をスライド移動させることで、開口部に対応する位置に採光部が配置されて採光が可能となる状態と、開口部に対応する位置に通風部が配置されて通風が可能となる状態との間で切替え可能となっている。そして、通風可能な状態にすることにより、建具を閉めた状態でも開口部より通風が得られるようになっており、防虫網によって視界をある程度遮ることも可能となる。
【０００７】
【特許文献１】特開２０００−７３６７１号公報
【特許文献２】特開２００４−１１３３５号公報
【発明の開示】
【発明が解決しようとする課題】
【０００８】
しかし、特許文献１の構成では、建具を閉めた状態において十分な通風を得るために開閉扉を開放すると、建具の反対側が換気用の穴から見えてしまうため、建具によって視界を遮ることができなくなってしまう。すなわち、来客時など視界を遮りつつ通風を確保したいような状況に対応することができない欠点がある。
【０００９】
また、特許文献２の構成では、通風可能な状態にした場合に、防虫網によって視界をある程度遮りつつ通風を確保することができるが、建具の反対側を透視するのが困難であるため、上記のように建具越しに人やペット等の様子を見たいような状況に対応することができない欠点がある。
【００１０】
そこで、この発明は、上記の不具合を解消して、通風や視界を遮りたいような状況、視界を遮りつつ通風を確保したい状況、及び通風を確保するとともに透視も可能にしたい状況に対して、それらいずれの状況にも対応できるような通風機能を有する建具・壁を提供することを目的とする。
【課題を解決するための手段】
【００１１】
上記の課題を解決するため、この発明における通風機能を有する建具・壁は、通風及び透視機能を備えた開口部と、この開口部を開閉する遮蔽具とを備え、この遮蔽具は、前記通風及び透視のいずれをも不能とする完全遮蔽モードと、少なくとも前記開口部の面に正対した状態で前記の透視を不能とするが通風は可能とする半遮蔽モードと、少なくとも開口部の面に対して略直角な方向に透視可能で且つ通風可能な完全開放モードとの間で切替え可能とされていることを特徴とする。
具体的に、前記半遮蔽モードでは、前記開口部の面に対するいずれの角度から見ても前記の透視が不能となっている。
また、前記遮蔽具は、開口部を区画する桟材又は開口部を囲む枠材に出没可能に埋設され、それら桟材又は枠材に対して出没することによって前記の各モ  
【００１２】
ードに切り替えられる。
【００１３】
さらに、前記開口部は、縦方向又は横方向の複数の桟材によって区画された格子状に形成されている。そして、遮蔽具は、前記桟材により区画された開口部の各区画空間毎に一対ずつ設けられ、それら一対の遮蔽具は、開口部の面に対する略直角方向において互いに間隔を空けて配置されている。
【００１４】
また、前記一対の遮蔽具のうち正面側に配置された遮蔽具が、前記区画空間を挟んだ一方の側の桟材又は枠材に設けられ、背面側に配置された遮蔽具が、その区画空間を挟んだ他方の側の桟材又は枠材に設けられている。
【００１５】
さらに、前記半遮蔽モードにおいて、前記一対の遮蔽具の出没方向における先端部の位置が部分的に重なっている。
【００１６】
またさらに、遮蔽具は、前記の桟材又は枠材の表面に対して凹入した位置に設けられている。加えて、遮蔽具を操作するための操作具が正面に設けられている。
【発明の効果】
【００１７】
この発明によれば、開口部の通風及び透視機能に関して、その開口部を開閉する遮蔽具が、完全遮蔽モードと半遮蔽モードと完全開放モードとの間で切替え可能とされているため、各モードに適宜切り替えることで多様な状況に対応することができる。すなわち、通風や視界を遮りたい状況に対しては完全遮蔽モードで対応することができ、来客時等において視界を遮りつつある程度の通風を確保したいような状況に対しては半遮蔽モードで対応することができ、十分な自然の風を感じたい状況や、建具又は壁の反対側にいる人やペット等の気配を感じたり様子を見たい状況に対しては完全開放モードで対応することができる。また、完全開放モードでは、建具越し又は壁越しに採光を確保することもできる。
【００１８】
さらに、各モードの切替えは、桟材又は枠材に対する遮蔽具の出没によってなされるものであり、その切替えのための構造は比較的単純で済むため、コストの低減化を図ることができる。
【００１９】
また、半遮蔽モードにおいて、開口部の面に対するいずれの角度から見ても透視不能な状態とすることで、視界上のプライバシーが十分に確保された状態で通風を確保することができる。さらに、半遮蔽モードでは、一対の遮蔽具の出没方向における先端部の位置が部分的に重なるようにすることによって、単純な構造で容易に視界を遮ることができる。
【００２０】
またさらに、遮蔽具は、桟材又は枠材の表面に対して凹入した位置に設けられているため、遮蔽具によって開口部を閉じた状態でも意匠性が損なれない効果がある。加えて、遮蔽具を操作するための操作具が正面に設けられているため、上記各モードの切替えを手軽に行うことができる。
【発明を実施するための最良の形態】
【００２１】
以下、この発明の実施形態を図面に基づいて詳細に説明する。図１は、この発明の一実施形態に係る開き戸タイプの内装建具(１)を示している。この内装建具(１)は、通風及び透視機能を備えた開口部(２)と、この開口部(２)を開閉する遮蔽具(10)(10)…とを備えている。なお、この実施形態では、開き戸タイプの建具(１)について説明するが、この発明は、引戸タイプの建具にも適用できるものである。
【００２２】
開口部(２)は、上下の横方向の枠部(15)(16)と左右の縦方向の枠部(17)(18)とによって囲まれた矩形状となっており、横方向に沿って設けられた中桟(19)によって上下に分割されて設けられている。また、開口部(２)は、縦方向の複数の桟材(４)(４)…によって区画された格子状に形成されている。これにより、開口部(２)には、桟材(４)(４)…により区画されてなる複数の区画空間(５)(５)…が形成されている。
【００２３】
左右両端に設けられた桟材(４)(４)と、その桟材(４)(４)に対向する縦方向の枠部(17)(18)との間には、桟材(４)(４)と枠部(16)(17)とに跨る連結材(６)(６)がそれぞれ縦方向に沿って設けられている。また、建具(１)の各枠部(15)〜(18)、中桟(19)、桟材(４)(４)…及び連結材(６)(６)の表面は、木質材料により仕上げられている。
【００２４】
なお、連結材(６)(６)は必ずしも設ける必要はなく、左右両端の桟材(４)(４)と枠部(17)(18)との間の部分についても、上記と同様の区画空間(５)(５)を形成するようにしても良い。また、開口部(２)は、横方向の複数の桟材によって区画するようにしても良い。
【００２５】
図２及び図３に示すように、遮蔽具(10)(11)…は、桟材(４)(４)…により区画された開口部(２)の各区画空間(５)(５)…毎に一対ずつ設けられ、それら一対の遮蔽具(10)(11)は、開口部(２)の面に対する略直角方向において互いに間隔を空けて配置されている。そして、それら正面側に配置された遮蔽具(10)と背面側に配置された遮蔽具(11)とによって、各区画空間(５)(５)…が開閉されるようになっている。
【００２６】
遮蔽具(10)(11)…は、開口部(２)を区画する桟材(４)(４)…に出没可能に埋設されている。具体的には、各桟材(４)(４)…が、その桟材(４)(４)…によって区画された区画空間(５)(５)…側に向かって開放する収容溝(12)(12)…を備え、その収容溝(12)(12)…に対して遮蔽具(10)(11)…がスライド可能に収容されている。
【００２７】
また、正面側の遮蔽具(10)は、区画空間(５)を挟んだ一方の側の桟材(４)に設けられ、背面側の遮蔽具(11)は、その区画空間(５)を挟んだ他方の側の桟材(４)に設けられている。ただし、左右両端の桟材(４)(４)と枠部(17)(18)との間を区画空間(５)(５)とした場合は、その区画空間(５)(５)を開閉する遮蔽具(10)(11)を枠部(17)(18)に設けるようにしても良い。
【００２８】
遮蔽具(10)(11)…としては、例えば金属板が用いられるが、遮蔽具(10)(11)…の材質は特に限定されないものとする。遮蔽具(10)(11)…の表面は、桟材(４)(４)…等の各部材の仕上げに合わせた色調とされている。また、遮蔽具(10)(11)…は、桟材(４)(４)…の表面に対して凹入した位置に設けられている。従って、遮蔽具(10)(11)…が桟材(４)から引き出された状態でも、建具(１)の意匠性が損なわれないようになっている。
【００２９】
そして、遮蔽具(10)(11)…は、桟材(４)(４)…に対して出没することによって、図２の(ａ)〜(ｃ)に示す各モードに切り替えられるようになっている。すなわち、遮蔽具(10)(11)…は、図２(ａ)に示す通風及び透視のいずれをも不能とする完全遮蔽モードと、図２(ｂ)に示す開口部(２)の面に対するいずれの角度から見ても透視を不能とするが通風は可能とする半遮蔽モードと、図３(ｃ)に示す少なくとも開口部(２)の面に対して略直角な方向に透視可能で且つ通風可能な完全開放モードとの間で切替え可能とされている。
【００３０】
図２(ａ)に示すように、完全遮蔽モードにおいては、遮蔽具(10)(11)…の突出方向先端側の端面が、それら遮蔽具(10)(11)…が出没する桟材(４)(４)…に隣接する桟材(４)(４)…の側面に当接するようになっており、開口部(２)のすべての区画空間(５)(５)…が遮蔽具(10)(11)…によって閉じられた状態となっている。すなわち、完全遮蔽モードでは、遮蔽具(10)(11)…によって開口部(２)が完全に遮蔽された状態となっているため、建具(１)によって通風及び視界が遮断されるようになっている。
【００３１】
図２(ｂ)及び図３に示すように、半遮蔽モードでは、正面側及び背面側の遮蔽具(10)(11)…の突出方向先端側の端面が、それぞれ区画空間(５)(５)…の中央部よりやや突出側に配置された状態となっている。すなわち、半遮蔽モードにおいては、一対の遮蔽具(10)(11)との出没方向における先端部の位置が部分的に重なった状態となっている。
【００３２】
図３に示すように、この半遮蔽モードにおける建具(１)の正面側において、正面側の遮蔽具(10)の先端と桟材(４)との間の隙間から建具(１)の背面側を見ようとしても、背面側の遮蔽具(11)によって視界が遮られるようになっている。すなわち、半遮蔽モードにおいては、建具(１)を挟んだ一方の側におけるいずれの角度から見ても他方の側が目視できないようになっている。
【００３３】
なお、半遮蔽モードは、建具(１)を挟んだ一方の側において、開口部(２)の面に対して斜め方向から見れば辛うじて他方の側が目視できるような状態であっても良いものとするが、その場合であっても、少なくとも開口部(２)の面に正対した状態では透視が不能となるような状態にしなければならないものとする。
【００３４】
この半遮蔽モードでは、遮蔽具(10)(11)…によって一部の通風が遮断されるものの、後述の完全開放モードの半分程度の通風が確保されるため、来客時等において視界を遮りつつある程度の通風を確保したいような状況に対応することができる。
【００３５】
図２(ｃ)に示すように、完全開放モードにおいては、遮蔽具(10)(11)…が桟材(４)(４)に完全に収容された状態となっている。従って、完全開放モードにしておくと、開口部(２)を通る通風が遮蔽具(10)(11)…によって遮られることがないため、建具(１)を閉めた状態でも、建具(１)を開放した状態に極めて近似した状態で自然の風を感じることができる。
【００３６】
また、完全開放モードでは、開口部(２)を通して、建具(１)を挟んだ一方の側から他方の側を透視することができるため、建具(１)の反対側にいる人やペット等の気配を感じることができる。従って、例えば、建具(１)を子供部屋等の居室の出入り口に設けた場合は、その居室で過ごす子供の様子を建具(１)越しに見ることができる。加えて、完全開放モードでは、建具(１)を閉めた状態でも、建具(１)越しに十分な採光を確保することができる。
【００３７】
図４は、遮蔽具(10)(11)…を出没方向にスライド駆動させる駆動機構の具体例を示している。正面側の遮蔽具(10)(10)…における背面側の側面、及び背面側の遮蔽具(11)(11)…における正面側の側面は、それぞれ多数の歯を備えたラック状に形成されており、それら一対の遮蔽具(10)(11)に噛み合う駆動ピニオン(28)が、それら遮蔽具(10)(11)間に挟まれるようにして桟材(４)の内部に設けられた噛み合っている。
【００３８】
駆動ピニオン(28)は、上下方向に沿って設けられた連結軸(27)を介して、中桟(19)内部に設けられた被動ピニオン(26)に連結されている。また、中桟(19)内部には、各被動ピニオン(26)(26)…に噛み合うラック(25)が、横方向に沿って設けられている。このラック(25)には、遮蔽具(10)(11)…を操作するための操作具(20)が連結されている。操作具(20)は、図１に示すように、中桟(19)に設けられた長穴(23)を通って中桟(19)外部に突出するようにして、建具(１)の正面に設けられている。なお、長穴(23)は、操作具(20)の一定範囲内での左右移動を許容するように形成されている。
【００３９】
そして、操作具(20)を左右方向にスライド操作すると、それに伴ってスライド移動するラック(25)によって、被動ピニオン(26)が回転駆動される。そのように被動ピニオン(26)が回転すると、それに伴って回転する駆動ピニオン(28)によって遮蔽具(10)(11)が出没方向にスライド駆動される。このように、建具(１)の正面に設けられた操作具(20)をスライド操作するだけで、遮蔽具(10)(11)…が桟材(４)(４)…に対して出没するようになっており、上記各モードの切替えを容易に行うことができるようになっている。なお、遮蔽具(10)(11)…を駆動させる駆動機構については様々な構成が考えられ、図４に示す構成に限られないものとする。
【００４０】
上記構成に係る開き戸タイプの内装建具(１)(１)…及び同様の構成を備えた引戸タイプの内装建具(30)(30)…を設けた住宅では、図５に示すように、それら内装建具(１)(30)…を閉めた状態であっても、遮蔽具(10)(11)…を完全開放モード又は半遮蔽モードにすることで、内装建具(１)(30)…を開放した場合と同様の通風経路が確保され、いずれの居室においても自然の風を十分に感じて快適に過ごすことができるようになっている。
【００４１】
また、図６に示すように、この発明は、上記の建具(１)(30)に限られず、居室を仕切る間仕切り壁(40)に適用することもできる。この間仕切り壁(40)も、上記の建具(１)と同様に、上記各モードに適宜切り替えることで多様な状況に対応することができ、上記実施形態と同様の効果を得ることができる。しかも、居室の出入り口だけでなく間仕切り壁(40)を通した通風が可能になるため、自然の風をより一層感じることができ、居室の快適性をさらに高めることができる。なお、図６において、上記実施形態と同様の機能を有する部材については同符号を付してある。
【００４２】
この発明は、上記実施形態に限定されるものではなく、この発明の範囲内で上記実施形態に多くの修正及び変更を加え得ることは勿論である。
【図面の簡単な説明】
【００４３】
【図１】この発明の一実施形態に係る内装建具を示す正面図である。
【図２】同じくその横断面図である。
【図３】同じくその部分拡大図である。
【図４】遮蔽具の駆動機構を示す斜視図である。
【図５】この発明の建具を設けた住宅内の通風経路を示す図である。
【図６】この発明の一実施形態に係る間仕切り壁を示す正面図である。
【図７】従来の一般的な住宅内の通風経路を示す図である。
【符号の説明】
【００４４】
(１)(30)  建具
(２)  開口部
(４)  桟材
(５)  区画空間
(10)  正面側の遮蔽具
(11)  背面側の遮蔽具
(17)(18)  枠材
(20)  操作具
(40)  壁
【図１】
2005299296.tif 000003
【図２】
2005299296.tif 000004
【図３】
2005299296.tif 000005
【図４】
2005299296.tif 000006
【図５】
2005299296.tif 000007
【図６】
2005299296.tif 000008
【図７】
2005299296.tif 000009